(57)【要約】種々の形態の関節症（特に変形性関節症）における疼痛及び腫れを緩和し、変形性関節症の発生を遅延させ、低体温症を阻止し、あるいは低体温症により起こる状況を緩和するための治療効果を示す多層化材料（１００、１１０）が供される。適応性を有し通気性を有する多層化材料（１００、１１０）は、柔軟で低アレルギー性である材料（例えばコットン、シルク、リネン）の第１層（１０５）、この第１層に接する、柔軟で、熱保持性を有する材料（例えばウール、カシミア）の第２層（１０３）及びこの第２層（１０３）に接する防水性材料の第３層（１０１）を有している。加えて、この多層化材料（１００、１１０）は、薄く、適応性を有し、通気性の繊維を供し、厳しい気候条件に有効な種々の衣服、装具及びギアを構築すべく使用されてもよい。
2005504657.tif 000002
【特許請求の範囲】
【請求項１】
柔軟で、且つ、低アレルギー性を有する材料の第１層（１０５）；
該第１層（１０５）に接する、柔軟で、且つ、熱保持性を有する材料の第２層（１０３）；及び
該第２層（１０３）に接する、防水性材料の第３層（１０１）；
を備え、前記層のそれぞれは通気性を有していることを特徴とする多層化材料。
【請求項２】
前記第３層（１０１）に接する、柔軟で、且つ、熱保持性を有する材料の第４層（１０３）；
該第４層（１０３）に接する、防水性材料の第５層（１０１）；
をさらに備えていることを特徴とする請求項１に記載の多層化材料。
【請求項３】
前記層は、衣服、装具又はギアを形成するように縫い合わされていることを特徴とする請求項２に記載の多層化材料。
【請求項４】
前記衣服は、帽子、ジャケット、パジャマ、パンツ、スーツ、手袋、ソックス、ストッキング、スカーフ、ローブ、スカート、ドレス及び下着の一つを含んでいることを特徴とする請求項３に記載の多層化材料。
【請求項５】
前記衣服は、筋−骨格疾病の緩和のための身体接合部をおおまかに覆っていることを特徴とする請求項３に記載の多層化材料。
【請求項６】
前記衣服は、低体温症の作用を阻止あるいは最小限にすべく身体接合部をおおまかに覆っていることを特徴とする請求項３に記載の多層化材料。
【請求項７】
前記ギアは、テント、寝袋、靴、スリッパ、ブランケット及び寝具の一つを含んでいることを特徴とする請求項３に記載の多層化材料。
【請求項８】
前記第２層（１０３）は、体温を上昇させることを特徴とする請求項１に記載の多層化材料。
【請求項９】
身体の特定の領域に配置された複数のカバーリング（３０１、３０３、３０５、３０７、３０８、３０９、３１１、３１３、３１５）を備え、
該複数のカバーリングのそれぞれは、
柔軟で、適応性を有し、軽量で、低アレルギー性を有し、且つ、通気性を有する材料の第１層（１０５）、
該第１層（１０５）上に積層された、柔軟で、適応性を有し、軽量で、熱保持性を有し、且つ、通気性を有する材料の第２層（１０３）、
該第２層（１０３）上に積層された、防水性で、且つ、通気性を有する材料の第３層（１０１）、
を含む多層化繊維材料である、
ことを特徴とする多層化衣服。
【請求項１０】
前記衣服は、ボディースーツであることを特徴とする請求項９に記載の多層化衣服。
【請求項１１】
前記の複数のカバーリング（３０１、３０３、３０５、３０７、３０８、３０９、３１１、３１３、３１５）は、関節痛の緩和あるいは低体温証の作用を最小限にすべく、身体の接合部をおおまかに覆っていることを特徴とする請求項９に記載の多層化材料。
【請求項１２】
複数の繊維材料を、該繊維材料第１層を繊維材料の第２層に隣接し、該第２層を前記繊維材料の第３層に隣接するシーケンスに従って層化し、
前記繊維材料の前記第１層は、柔軟で、適応性を有し、低アレルギー性を有し、且つ、通気性を有し、
前記繊維材料の前記第２層は、柔軟で、適応性を有し、熱保持性を有し、且つ、通気性を有し、
前記繊維材料の前記第３層は、柔軟で、合成品であり、防水性を有し、且つ、通気性を有することを特徴とし；
衣服又はギアを形成するように、前記の複数の繊維材料を縫い合わせる；
ことからなる、衣服、装具又はギアの製造方法。
【請求項１３】
前記の縫い合わせステップは、帽子、ジャケット、パジャマ、パンツ、スーツ、手袋、ソックス、ストッキング、スカーフ、ローブ、スカート、ドレス及び下着の一つを含む衣服を製造するように実施されることを特徴とする請求項１２に記載の方法。
【請求項１４】
前記の縫い合わせステップは、テント、寝袋、靴、スリッパ、ブランケット及び寝具の一つを含むギアを製造するように実施されることを特徴とする請求項１２に記載の方法。
【請求項１５】
身体の領域をおおまかに覆う複数のセクション（３０１、３０３、３０５、３０７、３０８、３０９、３１１、３１３、３１５）を備え、
該セクション（３０１、３０３、３０５、３０７、３０８、３０９、３１１、３１３、３１５）のそれぞれは、前記の覆われた領域において体熱を保持する多層化された適応性を有する通気性の材料であって、関節症の発生を遅延させ、該関節症の疼痛を緩和し、且つ低体温症の作用を減弱させ、
前記多層化材料（１００、１１０）は、
柔軟で、適応性を有し、通気性を有し、且つ、非刺激性を有する繊維材料の内部層（１０５）と、熱保持特性を有する、柔軟で、適応性を有し、且つ通気性を有する繊維材料の中間層（１０３）と、防水特性を有し、適応性を有し、且つ、通気性を有する外部層（１０１）と
を有することを特徴とする、治療用衣服。
【請求項１６】
前記の覆われた領域は身体接合部に対応していることを特徴とする請求項１５に記載の衣服。
【請求項１７】
前記の覆われた領域は、身体部分に対応していることを特徴とする請求項１５に記載の衣服。
【請求項１８】
関節症、変形性関節症及び低体温証に罹患したヒト及び動物の選択された可動接合部を包み込む衣服であって、
当該衣服は、
関節症の発症を遅延させ、該関節症の疼痛を緩和し、且つ、低体温症の作用を減弱させるべく、前記接合部にて体熱を保持するように、前記体温の前記接合部の少なくとも一つにおいて周囲を取り囲む、体温保持と加温特性とを有する、多層化され、適応性を有し、且つ、通気性を有する材料を備えていることを特徴とする、衣服。
【請求項１９】
前記の多層化された適応性材料は、
前記接合部の外部表面を刺激しない、柔軟で、適応性を有し、且つ、通気性を有する繊維材料の内部層（１０５）、
熱保持特性を有する、柔軟で、適応性を有し、且つ、通気性を有する繊維材料の中間層（１０３）、及び
防水特性を有する、適応性を有し、通気性を有し、且つ、合成の材料の外部層（１０１）、
を含んでいることを特徴とする請求項１８に記載の衣服。
【請求項２０】
関節症、変形性関節症及び低体温証に罹患したヒト及び動物の選択された可動接合部を包み込む接合部カバーリングであって、
当該衣服は、
前記接合部を包み込み且つ包含し且つ前記接合部における体熱を保持する、２つの対向する開口部を有する多層化された繊維材料であって、関節症の発生を遅延させ、該関節症の疼痛を緩和し、且つ、低体温証の作用を減弱させ、
前記の多層化された適応性材料は、
前記接合部の外部表面を刺激しない、柔軟で、軽量で、且つ、適応性を有する繊維材料の内部管状層、
高い熱保持特性を有する、柔軟で、軽量で、且つ、適応性を有する繊維材料の中間管状層、及び
防水特性を有する、軽量で、適応性を有し、且つ、合成の材料の外部管状層
を有し、
前記内部管状層は、前記の２つの対向する開口部により保持され、熱を保持しつつ、当該身体接合部カバーリング内にて前記接合部を自由に動かすことを許容されるように、選択された可動接合部の周囲に空間をおいて配置され、且つ、おおまかに着用される、
ことを特徴とする、身体接合部カバーリング。
【発明の詳細な説明】
【０００１】
（関連出願）
本願は、２００１年８月２３日出願の出願番号０９／９３４，７５５号のタイトル「抗変形性関節症用及び抗低温症用衣服」米国継続出願であり、ここに、参考として取り込む。
【０００２】
（発明の属する技術分野）
本願は、織物に関し、さらに特に、種々の関節症（特に変形性関節症）及び低体温症に関連する症状に関連した治療効果を供することができる衣服、ギア（ｇｅａｒ）又は装具の製造に使用される多層化材料に関する。
【０００３】
（本発明の背景技術）
衣服、ギア又は装具の製造における材料の利用性は、主として、即座に処理可能であるかどうかに依存し、且つ、この材料が特定の望ましい特性を効果的に示すことが可能であることに依存する。例えば、衣服及びギアの製造者は、要素（つまり、極度の気温及び／又は雨、みぞれや雪などに起因する厳しい気候条件）に対する防御性を供すべく、使用者の快適性並びに軽量な衣服及びギアに関する要求を満足する材料を継続して探求している。常套的に、このような気候に対する所望の防御性を達成すべく、製造者は、柔軟でなく嵩高いがゆえに取り扱いにくい繊維を使用してきた。繊維の材料特性は、医療用の衣服又は装具の製造においても重要である。治療用医療及び装具の製造者は、同様に、種々の医療的状態を解決すべく新規製品の開発の仕事を課されている。かかる製品の製造に使用される材料の制限ゆえ、美感や快適性は犠牲にされる。従って、衣服及びギアの製造者により探求された後の材料特性並びに医療用衣服及び装具の材料特性は、快適性、美感及び機能性に関して、伝統的に一致されていない。
【０００４】
厳しい気候条件を克服すべく、水分が衣服に進入するのを阻止すべく、防水性材料（例えばゴムやプラスティック）が使用される。例えば、ウェットスーツの伝統的な製造では、水のいかなる移動にも対抗する耐水性接触接合剤の固形膜を形成すべく、接着層を設ける。ウェットスーツに使用される材料は、部分的に嵩高く長時間着用することができないことから、他の衣服への幅広い適用を共用しない。
【０００５】
材料の好ましさに関するその他の考慮は、皮膚に対するアレルギー反応を起こすかどうかという点である。例えば、発泡性ゴムは、重大な刺激を起こす可能性があり、且つ、発汗を逸脱させることを許容しないので、一定の時間皮膚に接触すべき材料ではない。
【０００６】
治療適用に関し、常套的な衣服は、プラスティックやゴムなどの非孔性材料を用いて、身体の特定の疾病領域を覆うべく、熱及び水分を局在する。かかる手法に関する一つの欠点は、プラスティックが非孔性であり発汗の構築を起こすという事実に由来している。この水分の構築は、長時間衣服を着用することを可能とはさせず、従って種々の治療効果を減ぜさせる。しかしながら、これらの材料は、長時間着用されないことから、屋外用の衣服及びギアに適している。
【０００７】
従って、治療用効果を供する材料に関する要求が存在する。また、広範な衣服、ギア及び装具を製造するのに使用することができる材料に関する要求性も存在する。加えて、非刺激性の材料に関する要求性も存在する。また、薄く、軽量で、適応性があり、防水性を示す材料に対する要求性も存在する。さらに、種々の疾病的効果を有することなく長時間着用可能な材料に関する要求性も存在する。
【０００８】
（本発明の概略）
これら及びその他の要求は、本発明により解決し、この中で、種々の形態の関節症における疼痛や腫れを緩和する治療効果を示す衣服、装具又はギアを製造するのに多層化材料を使用してもよく、変形性関節症の発症を遅延させ、低体温症を阻止し、低体温症に起因する状況を緩和する。この材料は、適応性及び通気性があり、且つ、材料にて覆われた身体部分の体温を通常の体温へとするのと同様に保持することが可能である。軽量から中間程度の重量の衣服を製造すべくこの多層化材料を使用してもよく、医療的な有益性、生理学的なフィッティング及び美感を供する。本発明は、必要であれば、その通気性ゆえ、種々の逆行的な効果を伴うことなく、長時間、継続的に着用可能な多層化材料から製造された衣服、装具又はギアを許容する。一つの実施例による内部層は、柔軟で、適応性を有し、通気性を有し、軽量から中程度の重量であり、且つ、低アレルギー性（つまり、アレルギー反応又は皮膚の刺激性を生じない）を有している。中間層は、柔軟で、適応性を有し、通気性を有し、軽量から中程度の重量であり、熱保持性及び加温性を有し、且つ特定の身体部分の要求性を満たすことができる。本発明の一つの実施例による外部層は、水浸漬性を含む種々のタイプの気候条件に耐え得る防水特性を供する；外部層は、適応性を有し、軽量から中程度の重量であり、通気性であり、且つ合成品である。さらに、この材料は、より極限の気候条件に適合すべくさらに層化されてもよい。上述の配置は多層化材料を供し、広範な適用性を有し、連続使用が可能であり、且つ治療効果を示す。
【０００９】
本発明の一つの実施例に関する一つの面において、多層化材料は、柔軟で低アレルギー性材料の第１層、柔軟で熱保持材料である、上記の第１層に接する第２層、及び第２層に接する、防水性材料の第３層を有し、これらの層のそれぞれは、通気性を有する。
【００１０】
本発明の一つの実施例に関するその他の面において、多層化衣服は、身体のそれぞれの領域に配置された複数のカバーリングを含み、これら複数のカバーリングのそれぞれは、多層化繊維材料であり、柔軟で、適応性であり、低アレルギー性を有し、且つ、通気性を有する第１層、第１層に重層された、柔軟で、熱保持性を有し、且つ、通気性を有する材料の第２層、及び第２層上に重層された、防水性で、且つ、通気性を有する材料の第３層を有している。
【００１１】
本発明の一つの実施例に関するその他の面において、衣服、装具又はギアの製造方法を開示している。この方法は、第１の繊維材料を第２繊維材料に近接させ、第２繊維材料を第３繊維材料に近接させるシーケンスに従って複数の繊維材料を層化することを含み、繊維材料の第１層は、柔軟で、適応性を有し、低アレルギー性、且つ通気性であり、第２の繊維材料は、柔軟で、適応性があり、熱保持性を有し、且つ、通気性であり、第３の繊維材料は、適応性を有し、合成品であり、防水性であり、且つ、通気性を有している。この方法は、衣服、装具又はギアを形成すべく、複数の繊維材料を縫い合わせることも有している。
【００１２】
本発明の一つの実施例に関するその他の面において、治療用衣服は、身体の領域を大雑把に覆うための複数のセクションを有している。このセクションのそれぞれは、多層化された適応性を有し且つ通気性である材料であり、覆われた領域において体温を保持し、関節症の発生を遅らせ、これらに由来の疼痛を緩和し、且つ低体温症の作用を減ずる。この多層化材料は、柔軟で、適応性があり、通気性があり、且つ、非刺激性の繊維材料の内部層と、熱保持特性を有する、柔軟で、適応性があり、且つ通気性を有する繊維材料の中間層と、防水特性を有する、適応性を有し、且つ、通気性を有する材料の外部層とを有している。
【００１３】
本発明の一つの実施例に関するその他の面において、関節症、変形性関節症及び低体温症に関連するヒト及び動物の選択された可動接合部を包むための衣服を開示している。この衣服は、関節症の発症を遅延させ、これら由来の疼痛を緩和し、且つ低体温症の作用を減ずべく、かかる接合部における熱を保持すべく、多層化された、適応性を有し、且つ通気性の材料を含んでおり、体温保持及び加温特性を有しており、身体の接合部の少なくとも一つを取り囲んでいる。
【００１４】
本発明の一つの実施例に関するさらにその他の面において、関節症、変形性関節症及び低体温症に関連するヒト及び動物の選択された可動接合部を包むための身体接合部カバーリングを開示している。この身体接合部カバーリングは、この接合部の周囲を取り囲み且つ含み、且つ、かかる接合部において関節症の発生を遅らせ、これらに由来する疼痛を緩和し、且つ、低体温症の作用を減ずる体温を保持する、２つの対向する開口部を有する多層化された適応性を有する材料を含む。この多層化された適応性を有する材料は、接合部の外部表面を刺激しない、柔軟で、軽量で、適応性を有する繊維材料の内部管状層；高い熱保持性を有する、柔軟で、軽量な適応性のある繊維材料の中間管状層；及び防水特性を有する軽量で適応性を有する合成材料である外部管状層；を有する。上記の内部管状層は、２つの対向する端部により保持されており、一方で、選択された可動性接合部から離れ、ゆるくその周囲に着用されており、熱を保持しつつ、上記の身体接合部カバーリング内にて接合部が自由に動くことを可能としている。
【００１５】
本発明におけるさらにその他の面、特徴及び利点は、単に複数の、特定の実施例及び実効性を示すことにより、以下の詳細な記述により即座に明らかになり、本発明の実行に関して熟慮された最良の様式を有している。また、本発明はその他の異なる実施例を可能ともしており、これら複数の詳細は、本発明の精神及び範囲からすべて解離することなく、種々の明らかな面にて変更されてもよい。従って、図面及び既述は、本来的に図示するためのものとして、かつ限定しないものとしてみなされる。
【００１６】
（図面の簡単な説明）
本発明は、添付した図面の図及び同様の要素に関して参照した同様の参照番号の中で、例により、かつ限定するものでないものとして示される。
【００１７】
（好適実施例に関する記述）
変形性関節症及び／又は低体温症に対向するための方法及び装具を述べる。以下の記述において、説明の目的のため、数字による特定の細部は、本発明の理解を供すべく開示している。しかしながら当業者に明らかなのは、本発明は、これらの特定の細部ではなく等価な配置にて実行されてもよいということである。言い換えれば、周知の構造及び装具は、本発明を不必要にあいまいにすることを避けるため、ブロック図に示されている。
【００１８】
図１Ａ及び１Ｂは、本発明の実施例による、熱保持性及び防水性を供することを可能とする多層化材料に関する図である。図１Ａにあるように、適応性及び通気性を有する多層化材料１００は、３つの層を有している：水に対して遮蔽する防水性層１０１と；熱保持及び加温性を示す熱保持層１０３と；柔軟でアレルギー反応を最小限におさえた低アレルギー性層１０５；とを有している。本発明の実施例に従った材料１００は、快適な着衣性及び長時間の継続的な使用性を可能とすべく、軽量で中程度の重さを有している；しかしながら、特定の適用に依存して、より重い重量を有するものを用いてもよい。例示的な実施例において、材料１００は、衣服として使用してもよく、これにより、層１０１は、水分の浸入に対して遮蔽し、通気性をも有する外部層として機能し、層１０３は中間層として、且つ、層１０４は、内部層を供する。本発明の実施例によると、内部層１０５は、柔軟で、適応性を有し、低アレルギー性であり、且つ通気性を有しており、且つコットン、リネン、シルクなどにより製造されてもよく、柔軟で、適応性を有し、熱保持性を有し（及び／又は加温性）且つ通気性を有する中間層１０３は、ウールなどの天然毛皮、カシミア、駱駝の皮膚、アンゴラを含んでいる。軽量から中程度の重量までであることに加えて、コットンは、手入れが容易で且つ快適なニット製繊維を供し、非アレルギー性である。本発明の実施例によると、平均的に、材料１００、１１０のそれぞれの厚みは、約１／８インチであり；実際の厚みは、特定の適用に依存していてもよい。
【００１９】
防水性層１０１は、合成品（つまり人工品）であり、適応性を有し、通気性を有する通気性ナイロンなどの材料であって、水をはじき、水の浸漬を含むすべてのタイプの天候状態に耐え得る。ナイロンは、弾性を有し且つ磨耗に抵抗性を有する強靭な繊維である。その他の防水性で通気性を有する繊維を使用してもよい；一般的に２つの異なる種類の防水性で通気性を有する重合性衣服コーティーングが存在する。第１の種類は、「多孔性コーティーング」と呼ばれ、この膜中に存在する小孔の存在に起因して通気性を供する；これらの孔は、水の液滴の進入を防止するが、水蒸気の通過には十分な大きさを有している。多孔性で、防水性で、通気性を有する衣服コーティーングの例は、以下の合成品が含まれる：Ｇｏｒｔｅｘ（登録商標）（多孔性テトラフルオロエチレン）、Ｅｎｔｒａｎｔ（登録商標）（多孔性ポリウレタン）、Ｕｌｔｒｅｘ（登録商標）（多孔性ポリウレタン）、Ｂｒｅａｔｈｅ（登録商標）（多孔性ポリウレタン）、Ｅｘｅｌｔｅｃｈ（登録商標）（多孔性ポリウレタン）及びＣｅｌｔｅｃｈ（登録商標）（多孔性ポリ（アミノ酸））。第２のタイプは、「モノリシックなコーティーング」であって、固形の膜であり（つまりいかなる微小孔をも有していない）、従って、水に対して不透過性である；これらの通気性は、これらの分子構造及び分子構築様式に関する特定のデザインに由来している。モノリシックで、防水性で、通気性を有する衣服コーティーングは、以下を含む：Ｓｙｍｐａｔｅｘ（モノリシックポリエステル）、Ｗｉｔｃｏｆｌｅｘ（モノリシックポリウレタン）、及びＢｉｏｎ−ＩＩも乗りＳｃｈｉｃｋポリウレタン。衣服、装具又はギアの所望の使用期間に依存して、外部層１０１の選択は、長期間の連続した使用に関して多孔性材料であってもよく、あるいは、相対的に短い期間に関してはモノリシック材料であってもよい。
【００２０】
治療適用に関して衣服として使用する場合、詳細な医療的検討が明らかにしたのは、組み合わされた層１０１、１０３、１０５は、材料１００により覆われた身体部分の温度を通常の体温（つまり治療的な熱）と同程度に増加させることであり、一方で、筋肉−骨格疾病（又は創傷）を効果的に処置すべく、水分の捕獲を阻止する。つまり、保持される体温だけでなく、事実、治療効果が最も効果的であるレベルにまで加温する。層１０１、１０３、１０５のすべては、外部防水層１０１を含み、通気性である。組み合わされた層１０１、１０３、１０５はまた、耐久性を有し、選択可能な繊維をも供する。
【００２１】
多層化された特性を付与された材料１００は、変形性関節症の発生を遅延させ、関節症の疼痛及び腫れを緩和し、且つ、低体温症の進展を阻止又は遅延させることに関して治療上の利点を供する。材料１００がどのようにして、示した治療上の効果を示すかを理解すべく、変形性関節症及び低体温症に関する状態をこれより述べる。
【００２２】
変形性関節症は、その起源に関して２つの主要な根源に分類可能である：（１）年齢、性別、遺伝子型及び食事に関連する可能性のある全身性の症状；及び（２）種々の創傷、体重、職業、スポーツ参加及び要素の曝露などの外傷性の症状；とである。変形性関節症は、身体接合部における「磨耗及び裂傷」により主として発生する疾病として見ることができる。この理由に関して、通常の損傷回復工程を超えた一定度でありながら若干の損傷に起因して、「治癒」は、達成することが困難である。
【００２３】
接合部の骨の端部を覆っている健康な軟骨、滑組織は、互いに対して骨が滑り、且つ物理的な動きによる衝撃を吸収することが可能としている。経時的に、この軟骨は、疼痛を発生する可能性がある骨が互いに摩擦し合うことを可能とし、腫れを起こし、動きを損失させるということを悪化させる。接合部に近接した靭帯及び筋肉などの他の構造物は、影響されるようになる可能性がある、変形性関節症は、特定のスポーツの人工が増加するにつれより、広がる可能性さえも有し、ストレスエクササイズが起こる。
【００２４】
関節はその構造に関して最も単純である。これらは、２つ以上の対向した軟骨で覆われた骨の端部により構成され、濃密結合組織の適応性を有する管により連結された軟骨嚢である。微細構造が変化する内膜層は、この嚢を並べたものであり；これは、滑液又は滑膜として参照される。関節軟骨よりも早く回復するこの膜は、損傷の後に修復するのに約９０から１００日を必要とする。変形性関節症に関する「治癒」を達成することに関して主要な欠点は、この非常に遅い修復速度である。この包含された分け目には、非常に少量の澄明で粘性を有する滑液が存在する。この接合部が冷気に曝露されると、血流が少ないことに起因して、この液及び周辺の組織の温度は、通常の体温の約３−４度程度低い。
【００２５】
この接合部に近接しているのは、筋膜層、腱周膜、及び嚢などの同様な組織部材である。接合部の通常の機械的機能に関して重要なこれら構造だけでなく、関節症の大部分において、これらは初期的あるいは二次的に影響される。
【００２６】
関節の骨の端部を覆っている硝子軟骨は、弾性を有し、虚血性であり、細胞が若干しか存在しない組織である。これらの主要な栄養源は、関節腔中に含有する滑液である。他の結合組織に比べて、関節軟骨は、創傷の後の再生及び修復に関して比較的低い能力しか有していない。関節軟骨は、骨格にかけられる機械的ショックやストレスの大部分の受け皿であるので、明らかなのは、全体的にスムーズな関節表面の保持は、本質的に通常の機能に関連して、一定の危機にさらされている。明らかに示されるのは、関節軟骨は、種々の毒物、急性創傷、及び日常の活動にて起こる可能性のある軽微で反復的な外傷により即座に障害を受けるということである。
【００２７】
この接合部は解剖学的且つ帰納的に特定の範囲ないで容易に動くことを可能とすべく適合されている。また、関節表面及び滑組織は、機械的、毒物的、及び代謝的な性質の頻繁な創傷に指向されていることも含まれる。軟骨の場合、かかる創傷は、再生能力を超える特定で固有の生物学的特徴ゆえ、十分に耐性を有してはいない。この軟骨表面は、生理的な老化及び日常的な使用に起因する磨耗や裂傷にのみ由来する重要な対抗的変化を起こす傾向にある。かかる変化は、有害物質、単回若しくは反復的な外傷ゆえ、あるいは誤った姿勢や妨害された移動運動に由来する範囲外の機構の結果として、大いに加速される可能性がある。
【００２８】
低体温症に関して、この状況は、低下した体温に起因しており、低温への長時間の曝露に起因している。
【００２９】
変形性関節症に起因する不快感を軽減させるには、特定の形態の関節症、特に変形性関節症に熱を適用してもよい。全身を温かく保持するための常套的な衣服は、低体温症の発生を阻止するのに使用されてきた。かかる衣服は、その特異的な適用に使用されるが、これらのいずれも、満足いく程度に変形性関節症に由来する不快感を阻止又は軽減すべく、接合部へと十分な限局された熱を供することはない。材料１００は、接合部の突然の冷却を阻止することにより、変形性関節症の不快感の伸展を阻止すべく着用可能な衣服の製造に使用されてもよい。この衣服は、変形性関節症を罹患している患者に装飾されてもよく、あるいは、この患者に不快感を増すことなく、又は例えば、身体を加熱しすぎることによる創傷を生じることなく、又は衣服又は装具の元で発汗を起こすことなく、熱の保持性を供すべく、低体温症をもたらす一定時間低温に指向されてもよい。材料１００により製造された衣服、ギア及び装具は、過酷な機構にも耐えることが可能であり、着用者に持続的な熱発生の利点を享受することを可能とする。
【００３０】
凝固点以下などの過酷な天候条件に関して、低体温症の発生が起こる可能性があるように、材料１００は、材料１１０を形成すべくさらに層化されてもよい。従って、材料１１０は、防水性層１０１、熱保持性層１０３及び低アレルギー性層１０５を含んでいる。加えて、材料１１０は、他の熱保持性層１０７及び他の防水性層１０９を有している。本発明の実施例によると、熱保持性層１０７は、層１０３と同様であって、且つ防水性層１０９は、層１０１と同一である。
【００３１】
図２は、本発明の実施例による、多層化材料の構築工程に関するフローチャートである。ステップ２０１では、層１０１、１０３、１０５は、図１Ａに示したような所定のシーケンスに従って配置される。その後、衣服、ギア又は装具は、ステップ２０３において、層１０１、１０３、１０５を縫いあわせることにより構築されてもよい。高度に適応性を有し、軽量で、通気性で、防水性で、断熱性の材料１００、１１０は、接合部又は身体のこぶの体温の保持又は加温により保持すべく、接合部又は身体全体の周囲にフィット又は覆うのに適合された衣服、ギア又は装具の製造に利用されてもよい（図３乃至１０により完全に述べられている）。作用の通常のコースを促進すべく、種々の層１０１、１０３、１０５に種々の医薬品又は化学品を適用する必要はない。
【００３２】
上述の工程は、簡単な製造性を供し、これにより、経済的実行可能で、長寿命で、制御時、比較的トラブルなく行うことができる。この衣服の製造は、この衣服又は装具により覆われる種々の身体部分に「タイトにフィット」することはないように行われ、これにより、衣服及び装具により生成される熱量を減ずることになる循環の減少が消失される。組み合わされた層１０１、１０３、１０５の性質は、軽量な材料にて衣服、ギア又は装具を製造でき、医療的な有益性を供し、美感にも優れたものを供することが可能となる。さらに、この衣服は、種々の対抗的な作用を生ずることなく２４時間毎日着用することができる。
【００３３】
図３Ａから３Ｃは、本発明の実施例による、治療用衣服に関する種々の斜視図である。ボディースーツ３００は、材料１００を身体の種々の領域に適用して形成され、患者は、患者の変形性関節症に由来する疼痛及び腫れを緩和し又は低体温症の作用を阻止若しくは緩和する必要のある特定の対象を選択してもよい。図にあるように、材料１００で製造された身体カバーリングは、塗りつぶされた領域として示されている。例えば、ボディースーツ３００は、ネックカバーリング３０１、ショルダーカバーリング３０３、エルボーカバーリング３０５、リストカバーリング３０７、グローブ３０８、ヒップカバーリング３０９、ニーカバーリング３１１及びアンクルカバーリングを含む。図３Ｂは、ボディースーツ３００の正面図を示している。図３Ｃは、上半身の背部に関する図を供しており、スピンカバーリング３１５が含まれている。接合部の周りを覆い又は覆うのに使用される断熱材料１００（又は代替的に１１０）は、共同して、軽量から中程度の重量で、適応性を有し、通気性であり、低アレルギー性であり、且つ、防水性の繊維を供する。この組み合わせ物の製造は、断熱性を最大限とし、体温の実質的な部分を保持且つ加温し、一方で、衣服及び装具の適応性を保持し、覆われた部分を「通気」させている。この繊維は軽量であるので、患者の接合部を暖めるべくカバーリング３０１から３１５を設けた断熱物は、身体の残りの部分の断熱性に起因して、不快な暖かさを生ずることはない。例えば、ジョギング服の形態に製造された衣服は、これらを温かく保つべく、接合部の領域に熱を保持するであろうが、患者が過剰に熱せられることがないよう、軽量な中間領域にて冷却することもできる。
【００３４】
種々のカバーリング３０１から３１５は、限局された体温の保持及び加温により患者の接合部の熱を保持し、一方で、種々の気候条件において接合部の柔軟な動きを可能とする。従って、カバーリング３０１から３１５は、変形性関節症の疼痛及び腫れを緩和できると同時に、特に接合部における患者の身体の熱を保持し、水分の構築を阻止しつつ低体温症を阻止又は減弱することが可能である。
【００３５】
例示的な実施例において、ボディースーツ３００は、２つの基本部分、つまりシャツ（上着）衣服及びズボン、を備えている。シャツ服は、腕及び手首を含む首から腰までの上半身を覆う。このシャツは、すばやく着脱可能なワンピースの単位として製造されてもよく、あるいは、衣服をすばやく着脱でき、身体の中央部にて固定させるべく、ジッパーやその他の締め具手段にて形成されてもよい。
【００３６】
ボディースーツ３００及びボディーカバーリング３０１から３１５の寸法は、身体の接合部を温かく保持するという十分な断熱性を供するという最終的な目的とともに、着用者のサイズ及び体重に大部分依存する。例えば、大人用にデザインされたシャツ服は、およそ以下の寸法を有している：断熱性リストカバーリングは、手首の１インチ下から始まり、肘に向かって約２インチ延びている。ネックカバーリング３０１は、着用者の首の周囲を覆う連続的な円柱に形成されてもよく、閉口部にて、前部（背部又は側部）にて分離されていてもよい。また、肩カバーリング３０３は、肩の接合部の上である肩の上約３インチの位置から、肩の下約５インチへと延び、且つ、脇の下約３インチへと延び、これらは、上腕及び肩の接合部全体を覆っている。断熱性肘カバーリング３０５は、これら３つのカバーリング３０５が肘の両側部に約２から３インチ伸びるように形成されていてもよい。スピンカバーリング３１５は、約４から６インチの幅であってもよく、首領域から胴領域へと延び、実質的に衣服の全長に沿って延びていてもよい。
【００３７】
上記のズボンは、殿部を覆うヒップカバーリング３０９、膝カバーリング３１１及び足首カバーリング３１３を有している。断熱性カバーリング３０１乃至３１５を結合する材料は、例えば、軽量で、適応性を有し、通気性があり、低アレルギー性を有する材料（例えば、コットン、又はその他同様の品質を有する繊維）で製造されていてもよい。平均的な大人の着用者向けのズボンのおおよその寸法は、以下の通りである。ヒップカバーリング３０９は、ウェストラインからレッグラインの下方の約８から１０インチに延び、且つ、身体の前面の中心部から約３から４インチの位置から始まり身体の背面の中心部から約３から４インチへと周囲を取り囲み、且つ、およそ卵形にて下へと形成され、脚の背面のウェストの上部にて結合するように、身体の前面から下方の脚へと延びている。膝カバーリング３１１は、ほぼ円柱の形状に形成されており、膝の上部の約２から４インチから膝の下約２から３インチへと周囲を囲みながら延びている。足首カバーリングは、足首の上部から約２から３インチから足首接合部の下部へと約１．５から２インチにまで周囲を囲みながら延びる円柱カフにて形成されている。
【００３８】
本発明の他の実施例において、ボディースーツ３００は、手及び足用にカバーリングの形状にて供されてもよい（例えばグローブ、ソックス及びストッキングなど）。また、スカーフは、材料１００、１１０にて製造されてもよい。
【００３９】
上述したボディースーツ３００は、種々の異なる方法により製造されてもよい。一つの実施例において、カバーリング３０１乃至３１５は、単一（又は完全な）衣服を形成すべく、例えば縫い付けることにより、（空の領域にて示すような）軽量な材料を隣接して結合される。これらの隣接する軽量材料は、例えば、コットン、シルク及びウールなどの種々の繊維にて製造されてもよい。この例示的な実施例において、肩カバーリング３０３は、上腕衣服部品に縫われてもよく、順に、肘カバーリング３１５に縫われてもよい。この様式において、断熱性材料３０１乃至３１５のすべて及び結合衣服部品は、完全な衣服を形成すべく結合されてもよく、この場合、ボディースーツ３００に該当する。
【００４０】
代替的な製造において、軽量をベースとした繊維衣服は、身体の所望の部分のすべてを実質的に覆うように製造されてもよい。この軽量で適応性を有し通気性であり低アレルギー性材料に対して、断熱性カバーリング３０１乃至３１５は、熱が保持されるべき接合部に対して縫われてもよい。この場合、軽量から中程度の重量の衣服は、着用者の身体に接触するライニング（つまり、材料１００の内部層）として機能するであろう。
【００４１】
ボディースーツ３００に加えて、材料１００は、他のタイプの衣服、ギア又は装具を形成すべく使用される。例えば、衣服は、シャツ、ブラウス、ジョギング服、ドレス、睡眠用パジャマ、及びツーピーススーツとして着用されるべく製造されてもよく、これらは、不快感を軽減したり、運動、空調への曝露又は単に寒い気候の後のクーリングダウンにより起こる疼痛を緩和すべく機能する。また、下着は、例えば、多くの近代的なオフィスビルや家屋にある空調など、冷えた環境への曝露により起こる疼痛を緩和すべく、標準的な衣服の下に着用すべく製造されてもよい。さらに、材料１００は、膝及び／又は足首に対する治療効果を供するのに十分な熱を保持すべく、ストッキングを供すべく使用されてもよい。
【００４２】
図４Ａから４Ｃは、下着服に関する種々の斜視図を示している。上述したように材料１００は、適用性が広く、女性用のブラジャーやパンティー又は男性用のＴシャツやショーツを製造することができる。示したように、女性用のブラジャー４０１は、肩接合部を完全に覆う肩カバーリング４０３にて製造されてもよい。また、図４Ａは下着４０５を示しており、この中で、材料１００で製造されかつ殿部接合部を覆うヒップカバーリング４０７は、パンティー又はショーツを形成すべくコットン、シルク又はその他の同様な材料にて結合されてもよい。図４Ｂは、身体上部を覆うための図４Ａに示した上部下着服に関する正面図を示している。図４Ｃは、殿部領域を覆うための図４Ａに示した下部の下着服に関する背面図である。
【００４３】
図５は、膝及び足首接合部を覆うべく構築された図１Ａ及び１Ｂに関する材料の使用を示した図である。例示的な実施例において、レッギング５００は、膝カバー５０１及び例えば軽量な材料にて結合された足首カバー５０３を有している。代替的に、膝カバー５０１及び足首カバー５０３は、個々の装具であってもよい。上述したように、材料１００は、変形性関節症に関して試験されており；この試験は、特に運動において、膝の有する強度及び重さ支持機能ゆえ、この特定の疾患を処置することが最も難しい接合部に焦点を合わせられている。膝装具は、膝の重篤な変形性関節症に罹患している複数の患者にて試験される。この評価は、２ヶ月半もの間継続された。この試験期間中、対象の３９％は、膝の腫れの消失を経験した；対象者の１６％は、腫れ及び疼痛の両方が消失したことを訴えた；対象の３２％は、腫れに関して感知できる変化はなかったと訴えた；対象の４５％は、疼痛に関して変化がなかったことを訴えた；且つ、１％未満は状況が悪化したことを訴えた。対象の３９％が腫れの消失を経験し、１６％が腫れ及び疼痛の両方の消失を経験し、対象の３２％が腫れの軽減がなかったとし、且つ、対象の４５％が疼痛の増加がなかったと訴えた事実は、関節軟骨における非常に緩慢な再生に関して、材料１００の有用性を示している。試験期間が２ヶ月半のみである場合でさえ、組み合わされた層１０１、１０３、１０５の治療的なメリットは明らかであり、特に、損傷の後に修復するのに滑膜は約９０から１００日を必要とし、骨の端部を覆っている硝子軟骨（又は関節軟骨）よりもより早く回復し、骨格に影響を与えられる機会的なショックやストレスの大半の受けてであるという事実に関して治療的なメリットを有する。この試験が示すのは、いかなる医薬を使用することさえもなく、この膝用装具は、膝における重篤な変形性関節症の状態に関して、大いに加速された治癒工程、消失、軽減及び保持性を刺激するということである。
【００４４】
図６は、本発明の実施例に従って、図１の多層化材料の使用を示す図であり、抗変形性関節症の肘装具としてデザインされており、この装具は、肘領域を覆い、且つ、軽量で弾性を有するストラップにより位置に保持されている。図８から明らかなように、肘装具６０１は、「ずれ」を阻止するのに十分でありながら、肘領域上に緩やかに適用されている。この装具６０１は、例示的な実施例において、肘の周囲にて、装具６０１を緩やかに固定すべく、４つの弾性ストラップ６０３を有している（図７参照）。これらの軽量で弾性を有するストラップ６０３は、一定の位置に装具６０１を保持すべくデザインされており、この領域における循環を減少させることはない。対象的に最も常套的な治療用装具は、タイトにフィットし、接合部及び筋肉への血液の供給を減少させ、これにより、装具の治療効果を徐々に減少させてしまう。その他の伝統的な手法は、締め付けに関するこの問題と同様に、接合上に直接、この領域における大きな開口部を残存させることにより生じる発汗を解決すべく試みている；しかしながら、このことは、曝露された領域からの熱の損失に起因して、かかる装具が与える種々の有益性を減少させてしまう。ずれは、本発明においてほとんど生じることがない。なぜなら、材料１００は、図３及び４のように、衣服に組み込まれてもよいためである。
【００４５】
材料１００、１１０の適用に関して既述した解説により明らかなように、完全な衣服は、抗低体温性効果に関する冷感に使用すべく構築されてもよい。加えて、衣服、ギア又は装具は、治療的な効果、特に接合部の抗変形性関節症に対する効果を生み出すために、身体の特定の部位を覆うべく製造されてもよいし、それと同時に、損傷された靭帯及び筋肉の治癒を促進すべく製造されてもよい。
【００４６】
さらに、材料１００、１１０の所望の特性に依存した種々の衣服、ギア及び装具は、表１に列挙されたように形成されてもよい。
【００４７】
【表１】
2005504657.tif 000003
【００４８】
【表２】
2005504657.tif 000004
例えば、図８は、テント８００を形成すべく、図１Ａ及び１Ｂの多層化材料の使用を示している。テント８００の側部は、寒い気温及び水分（例えば、雨、みぞれ及び雪など）に対して防御すべく、材料１１０を用いて製造されてもよい。材料１１０の通気性特性ゆえ、テント内の空気循環は促進される。図９は、寝袋９００を形成すべく、図１Ａ及び１Ｂの多層化材料の使用を示している。材料１００、１１０が軽量で、適応性を有するため、この寝袋は、簡便に保持され、且つ保存される。図１０は、ヘッドギア１０００を形成すべく、図１Ａ及び１Ｂの多層化材料の使用を示している。
【００４９】
従って、本発明は、すべてのタイプの気候条件に使用可能な多層化材料を供する。本発明の一つの実施例に従った、通気性で多層化された材料は、通常の体温よりも材料で覆われた身体部分の温度を上昇させる−つまり、体温を保持しかつ加温する。この多層化材料は、材料により覆われる種々の身体部分への「タイトフィッティング」な適用を阻止すべく使用されてもよく、これにより、循環の減少を有利に消失させる。常套的な手法は、タイトフィットを使用しており、これは、先行技術における装具により発生される熱量を減少する。この多層化材料は、軽量から中程度の重量を有し、医療的な有益性、物理的なフィット感及び美感を供する衣服を製造するのに使用されてもよい。本発明は、その通気性ゆえ、逆行的な効果を伴うことなく、もし所望ならば長時間連続して、多層化材料にて構築された衣服、装具又はギアを着用することが許容する。一つの実施例に従った内部層は、柔軟で、適応性を有し、通気性を有し、軽量から中程度の重量を有し、且つ低アレルギー性（つまり、アレルギー反応又は皮膚に対する刺激性を発生しない）である。中間層は、柔軟で、適応性を有し、軽量から中程度の重量を有し、熱保持性及び加温性を有し、且つ特定の身体部分の要求に合致すべく製造されてもよい。本発明の一つの実施例に従った外部層は、水の浸漬を含む種々のタイプの気候条件に耐え得る防水特性を供する；外部層は、適応性を有し、軽量から中程度の重量を有し、通気性を有し、且つ、合成品である。この多層化材料は、また、種々の装具及びギアの製造に使用されてもよい。さらに、この材料は、より極限の気候条件を適合すべくさらに層化されてもよい。この多層化材料は、また、種々の装具及びギア（例えば、テント、寝袋、靴、スリッパなど）を構築すべく使用されてもよい。さらに、この材料は、より極限の気候条件を適合すべくさらに層化されてもよい。上述の配置は、広範な適用性を有し、連続使用を可能とし、且つ治療的な効果を示す多層化材料を供する。
【００５０】
種々の実施例及び実効性と組み合わせて本発明を述べてきたが、本発明は、限定されるものではなく、添付した請求項の範囲内に収まる、明らかな種々の改変及び等価な配置に及ぶものである。
【図面の簡単な説明】
【００５１】
【図１Ａ】本発明の実施例による、熱保持性及び防水性を供することができる多層化された材料の図である。
【図１Ｂ】本発明の実施例による、熱保持性及び防水性を供することができる多層化された材料の図である。
【図２】本発明の実施例による、多層化された材料の製造工程に関するフローチャートである。
【図３Ａ】本発明の実施例による、治療用衣服に関する種々の斜視図である。
【図３Ｂ】本発明の実施例による、治療用衣服に関する種々の斜視図である。
【図３Ｃ】本発明の実施例による、治療用衣服に関する種々の斜視図である。
【図４Ａ】本発明の実施例による、衣服に関する種々の斜視図である。
【図４Ｂ】本発明の実施例による、衣服に関する種々の斜視図である。
【図４Ｃ】本発明の実施例による、衣服に関する種々の斜視図である。
【図５】膝及び足首の接合部を覆うべく製造された図１Ａ及び１Ｂの材料の使用を示した図である。
【図６】抗変形性関節症の肘用装具としてデザインされた図１Ａ及び１Ｂの多層化材料の使用を示した図であり、この装具は、本発明の実施例により、軽量で弾性を有するストラップを介して肘部分を覆っている。
【図７】図６に適用された肘用装具に関する図である。
【図８】テントを形成すべく図１Ａ及び１Ｂの多層化材料の使用を示した図である。
【図９】寝袋を形成すべく図１Ａ及び１Ｂの多層化材料の使用を示した図である。
【図１０】ヘッドギアを形成すべく図１Ａ及び１Ｂの多層化材料の使用を示した図である。
【図２】
2005504657.tif 000005
【国際公開パンフレット】
2005504657.tif 000006
2005504657.tif 000007
2005504657.tif 000008
2005504657.tif 000009
2005504657.tif 000010
2005504657.tif 000011
2005504657.tif 000012
2005504657.tif 000013
2005504657.tif 000014
2005504657.tif 000015
2005504657.tif 000016
2005504657.tif 000017
2005504657.tif 000018
2005504657.tif 000019
2005504657.tif 000020
2005504657.tif 000021
2005504657.tif 000022
2005504657.tif 000023
2005504657.tif 000024
2005504657.tif 000025
2005504657.tif 000026
2005504657.tif 000027
2005504657.tif 000028
2005504657.tif 000029
2005504657.tif 000030
2005504657.tif 000031
2005504657.tif 000032
2005504657.tif 000033
2005504657.tif 000034
2005504657.tif 000035
2005504657.tif 000036
2005504657.tif 000037
2005504657.tif 000038
【国際調査報告】
2005504657.tif 000039
2005504657.tif 000040
2005504657.tif 000041